(57)【要約】  車両の振動を検出するためのシステム及び方法である。当該システムは、車両の振動を検出するように構成されたセンサと、電子制御装置とを含み、電子制御装置は、センサから振動信号を受信し、振動信号を検出閾値と比較し、振動信号と検出閾値との比較に応じて、車両の制動システムを動作させるための信号を生成し、かつ、車両のエンジンのトルクを低減させるためのリクエストを生成するように構成されている。
2020533220.tif 000002
【特許請求の範囲】
【請求項１】
車両を安定化させるためのシステムであって、
当該システムは、
車両の振動を検出するように構成されたセンサと、
電子制御装置と、
を含み、前記電子制御装置は、
前記センサから振動信号を受信し、
前記振動信号を検出閾値と比較し、
前記振動信号と前記検出閾値との比較に応じて、前記車両の制動システムを動作させるための信号を生成し、かつ、前記車両のエンジンのトルクを低減させるためのリクエストを生成する、
ように構成されている、システム。
【請求項２】
前記電子制御装置は、前記検出閾値を規定するようにさらに構成されている、
請求項１に記載のシステム。
【請求項３】
前記電子制御装置は、第２の検出閾値を規定するようにさらに構成されている、
請求項２に記載のシステム。
【請求項４】
前記車両は、前記車両の速度が速度閾値を下回るまで、前記車両の前記制動システムを動作させるための前記信号に応じて前記車両の前記制動システムによって制動される、
請求項１に記載のシステム。
【請求項５】
前記電子制御装置は、前記振動信号に基づいて前記速度閾値を規定するように構成されている、
請求項４に記載のシステム。
【請求項６】
当該システムは、エンジン電子制御装置をさらに含む、
請求項１に記載のシステム。
【請求項７】
前記エンジン電子制御装置は、前記電子制御装置から、前記車両のエンジンのトルクを低減させるための前記リクエストを受信し、前記エンジンを制御してトルクを低減させるように構成されている、
請求項６に記載のシステム。
【請求項８】
当該システムは、通知インジケータをさらに含む、
請求項１に記載のシステム。
【請求項９】
前記電子制御装置は、前記振動信号と前記検出閾値との比較に応じて通知を生成するようにさらに構成されている、
請求項８に記載のシステム。
【請求項１０】
前記電子制御装置は、前記通知を前記通知インジケータに提供することによって前記車両の操作者に通知を行うようにさらに構成されている、
請求項９に記載のシステム。
【請求項１１】
車両を安定化させるための方法であって、
当該方法は、
電子制御装置によって、センサから振動信号を受信することと、
前記電子制御装置によって、前記振動信号を検出閾値と比較することと、
前記振動信号と前記検出閾値との比較に応じて、前記電子制御装置によって、前記車両の制動システムを動作させるための信号を生成し、かつ、前記電子制御装置によって、前記車両のエンジンのトルクを低減させるためのリクエストを生成することと、
を含む、方法。
【請求項１２】
当該方法は、前記電子制御装置によって、前記検出閾値を規定することをさらに含む、
請求項１１に記載の方法。
【請求項１３】
当該方法は、前記電子制御装置によって、第２の検出閾値を規定することをさらに含む、
請求項１２に記載の方法。
【請求項１４】
当該方法は、前記車両を、前記車両の速度が速度閾値を下回るまで、前記車両の前記制動システムを動作させるための前記信号に応じて前記車両の前記制動システムによって制動することをさらに含む、
請求項１１に記載の方法。
【請求項１５】
当該方法は、前記電子制御装置によって、前記振動信号に基づいて前記速度閾値を規定することをさらに含む、
請求項１４に記載の方法。
【請求項１６】
当該方法は、エンジン電子制御装置によって、前記車両のエンジンのトルクを低減させるための前記リクエストを受信することをさらに含む、
請求項１１に記載の方法。
【請求項１７】
当該方法は、前記エンジン電子制御装置によって、前記車両のエンジンを制御してトルクを低減させることをさらに含む、
請求項１６に記載の方法。
【請求項１８】
当該方法は、前記電子制御装置によって、前記振動信号と前記検出閾値との比較に応じて通知を生成することをさらに含む、
請求項１１に記載の方法。
【請求項１９】
当該方法は、前記電子制御装置によって、前記通知を通知インジケータに提供することをさらに含む、
請求項１８に記載の方法。
【請求項２０】
当該方法は、前記通知インジケータが前記通知を受信したときに、前記通知インジケータを使用して前記車両の操作者に通知を行うことをさらに含む、
請求項１９に記載の方法。
【発明の詳細な説明】
【技術分野】
【０００１】
本実施形態は、車両を安定化させるためのシステムに関する。
【背景技術】
【０００２】
概要
自動二輪車及びその他の形態の車両は、高速シミー又はウォブルと呼ばれることが多い、速度に起因する振動の影響を受けやすくなっている。振動が非常に速くなり過ぎた場合、又は、長時間にわたって振動の継続を許した場合には、車両の操作者は、車両の制御を喪失して事故を引き起こす危険を冒すこととなり、これによって車両の操作者などに損害が与えられる可能性がある。
【０００３】
振動は、フレームのコンプライアンス（撓み性）及びフォークの非対称性などのような車両の潜在的な設計上の欠点によって影響を受ける又は増幅される可能性がある。
【発明の概要】
【発明が解決しようとする課題】
【０００４】
結果として、速度に起因する振動を検出し、速度に起因する振動が存在する場合に操作者の修正を支援するためのシステムが望まれている。
【課題を解決するための手段】
【０００５】
本明細書において説明される各実施形態は、特に、車両を安定化させるための方法及びシステムを提供する。
【０００６】
１つの実施形態は、車両を安定化させるためのシステムを提供する。当該システムは、車両の振動を検出するように構成されたセンサと、電子制御装置とを含み、電子制御装置は、センサから振動信号を受信し、振動信号を検出閾値と比較し、振動信号と検出閾値との比較に応じて、車両の制動システムを動作させるための信号を生成し、かつ、車両のエンジンのトルクを低減させるためのリクエストを生成するように構成されている。
【０００７】
他の実施形態は、車両を安定化させるための方法を提供する。当該方法は、電子プロセッサを使用して、センサから振動信号を受信することと、振動信号を検出閾値と比較することと、振動信号と検出閾値との比較に応じて、車両の制動システムを動作させるための信号を生成し、かつ、車両のエンジンのトルクを低減させるためのリクエストを生成することと、を含む。
【０００８】
他の態様、特徴及び実施形態は、詳細な説明及び添付の図面を考慮することによって明らかになるであろう。
【図面の簡単な説明】
【０００９】
【図１】１つの実施形態による安定化システムを有する車両のブロック図である。
【図２】本実施形態による安定化システムの電子制御装置のブロック図である。
【図３】１つの実施形態による車両を安定化させるための方法を示す図である。
【発明を実施するための形態】
【００１０】
詳細な説明
あらゆる実施形態を詳細に説明する前に、本開示がその適用において、以下の説明に記載され又は以下の図面に図示される構成の詳細及びコンポーネントの配置に限定されることを意図していないことを理解すべきである。各実施形態は、他の構成が可能であり、種々の方法により実施可能又は実行可能である。
【００１１】
種々の実施形態を実施するために、複数のハードウェア及びソフトウェアに基づく装置並びに複数の異なる構造コンポーネントが使用され得る。さらに、各実施形態は、ハードウェア、ソフトウェア、及び、電子的なコンポーネント又はモジュールを含み得るが、これらは、説明のためにコンポーネントの大部分がハードウェアのみで実施されているかのように図示及び説明されている場合がある。しかしながら、この詳細な説明を読めば、当業者は、少なくとも１つの実施形態において、本発明の電子に基づく態様が、１つ又は複数のプロセッサによって実行可能である（例えば、不揮発性コンピュータ可読媒体に記憶された）ソフトウェアにおいて実施され得ることを認識するであろう。例えば、本明細書で説明される「制御ユニット」及び「制御装置」は、１つ又は複数の電子プロセッサと、不揮発性コンピュータ可読媒体を含む１つ又は複数のメモリモジュールと、１つ又は複数の入出力インタフェースと、１つ又は複数の特定用途向け集積回路（ＡＳＩＣ）と、種々のコンポーネントを接続する種々の接続部（例えばシステムバス）とを含むことが可能である。
【００１２】
図１は、安定化システム１０５を有する車両１００の一例を示している。車両１００は、二輪車両として図示されているが、種々異なる種類及び設計の車両を包含し得る。例えば、車両１００は、自動二輪車、自動車、トラック及びセミトラクタなどであり得る。図示の例においては、安定化システム１０５は、センサ１１０と、車輪１１２及び１１３と、電子制御装置１１５と、制動システム１２０と、エンジン電子制御装置１２５と、エンジン１２７と、通知インジケータ１３０とを含む。
【００１３】
センサ１１０は、車両１００の振動を検出するように構成されている。センサ１１０は、ジャイロスコープセンサ及び加速度計などであり得る。センサ１１０は、車両１００の振動を検出するために、車両１００のフレーム及び車両１００の車軸などに結合され得る。
【００１４】
車輪１１２及び１１３は、車両１００に接続されている。いくつかの実施形態においては、車両１００は、２つの車輪１１２及び１１３よりも多くの車輪を含む。さらなる実施形態においては、車輪１１２及び１１３は、制動システム１２０に接続されている。
【００１５】
電子制御装置１１５は、種々の有線接続又は無線接続を介して、センサ１１０と、制動システム１２０と、エンジン電子制御装置１２５と、通知インジケータ１３０とに通信可能に結合され得る。例えば、いくつかの実施形態においては、電子制御装置は、安定化システム１０５の上記のコンポーネントの各々に専用のワイヤを介して直接的に接続されている。他の実施形態においては、電子制御装置１１５は、車両通信バス（例えば、コントローラエリアネットワーク（ＣＡＮ）バス）又は無線車両ネットワークのような共有の通信リンクを介して、１つ又は複数のコンポーネントに通信可能に結合されている。
【００１６】
制動システム１２０は、車両１００を制動するように構成されている。１つの実施形態によれば、制動システム１２０は、ブレーキパッド、ブレーキキャリパ、液圧システム、速度センサを含み、さらには電子制御装置を含み得る。制動システム１２０の電子制御装置は、電子制御装置１１５から信号を受信し、車両を減速させるために、車両１００の車輪１１２及び１１３に１つ又は複数の制動コンポーネントを作用させるように構成され得る。
【００１７】
１つの実施形態においては、エンジン電子制御装置１２５は、電子制御装置１１５からリクエストを受信して、車両１００のエンジン１２７を制御するように構成されている。例えば、エンジン電子制御装置１２５は、電子制御装置１１５からのリクエストに応じて、車両１００のエンジン１２７のトルクを低減させるように構成され得る。他の実施形態においては、エンジン電子制御装置１２５は、エンジン１２７の他の動作を制御するように構成され得る。
【００１８】
エンジン１２７は、車両１００を推進するための力を生成するために使用される。いくつかの実施形態においては、エンジン１２７は、内燃機関である。他の実施形態においては、エンジン１２７は、内燃機関及び電気モータのハイブリッドである。
【００１９】
いくつかの実施形態においては、安定化システム１０５は、エンジン電子制御装置１２５を含まず、エンジン電子制御装置１２５の機能は、電子制御装置１１５によって担われている。これらの実施形態においては、電子制御装置１１５は、エンジン１２７に接続されている。
【００２０】
通知インジケータ１３０は、車両１００のダッシュボード上の発光ダイオード（ＬＥＤ）、及び、車両１００内において音を再生するように構成されたスピーカなどであり得る。通知インジケータ１３０は、電子制御装置１１５から通知を受信するように構成され得る。
【００２１】
安定化システム１０５の上記コンポーネントの各々は、それぞれのコンポーネントの機能に関連するデータを受信、処理及び伝送するための電子プロセッサと、入出力インタフェースと、メモリとが含まれた専用の処理回路を含み得る。例えば、センサ１１０は、パラメータ又は値を決定する電子プロセッサを含み得る。この場合には、センサ１１０は、パラメータ又はパラメータに関連する計算された値を電子制御装置１１５に伝送する。安定化システム１０５のコンポーネントの各々は、種々の通信プロトコルを使用して電子制御装置１１５と通信することができる。図１に示される実施形態は、安定化システム１０５のコンポーネント及びカップリングの一例を提供するものに過ぎない。これらのコンポーネント及びカップリングを、本明細書において例示及び説明される以外の方法により構築してもよい。
【００２２】
図２は、１つの実施形態による安定化システム１０５の電子制御装置１１５のブロック図である。電子制御装置１１５は、電子制御装置１１５内のコンポーネント及びモジュールに電力、動作制御及び保護を提供する複数の電気的及び電子的なコンポーネントを含む。図示の例においては、電子制御装置１１５は、特に、電子プロセッサ２０５（プログラム可能な電子マイクロプロセッサ、マイクロコントローラ、特定用途向け集積回路、又は、同類の装置など）と、メモリ２１０（例えば、不揮発性機械可読メモリ）と、入出力インタフェース２１５とを含む。電子プロセッサ２０５は、メモリ２１０及び入出力インタフェース２１５と連携して、特に本明細書において説明される方法を実施するように構成されている。
【００２３】
電子制御装置１１５は、それぞれが特定の機能又はサブ機能を実行するように構成されている複数の独立した制御装置（例えば、プログラム可能な電子制御ユニット）の形態において実施され得る。さらに、電子制御装置１１５は、入出力の機能の操作と、信号の処理と、以下に列挙する方法の適用とのための追加的な電子プロセッサ、メモリ又は特定用途向け集積回路が含まれたサブモジュールを含み得る。他の実施形態においては、電子制御装置１１５は、追加的なコンポーネント、より少数のコンポーネント、又は、他の異なるコンポーネントを含む。
【００２４】
いくつかの実施形態においては、エンジン電子制御装置１２５は、電子制御装置１１５に含まれる上記コンポーネントと同様のコンポーネントを有する。他の実施形態においては、エンジン電子制御装置１２５は、電子制御装置１１５よりもむしろ、追加的なコンポーネント、より少数のコンポーネント、又は、他の異なるコンポーネントを含む。
【００２５】
図３は、１つの実施形態による車両１００を安定化させるための方法３００を示している。ステップ３０５において、電子制御装置１１５は、センサ１１０から振動信号を受信する。１つの実施形態においては、振動信号は、振幅及び周波数を含む波信号（例えば、０．４メートルの振幅及び５ヘルツ（Ｈｚ）の周波数を有する振動波信号）として受信される。１つの実施形態においては、振動信号は、車両１００の左右の動きを表す。センサ１１０は、車両１００のサスペンションシステムに結合されること、車両１００のフレームに結合されることなどによって、振動信号を検出することができる。
【００２６】
電子プロセッサ１１５は、振動信号を受信し（ステップ３０５）、ステップ３１０において、振動信号を検出閾値と比較する。いくつかの実施形態においては、検出閾値は、電子制御装置１１５が振動信号を比較するための対象である設定値に規定されている。他の実施形態においては、電子制御装置１１５は、車両１００の種類及び車両１００の速度などに基づいて検出閾値を規定するようにさらに構成され得る。例えば、１つの実施形態において、車両１００が低速で走行している場合には、事故又は制御の喪失を引き起こすために比較的大きな振動が必要となり得る一方、他の実施形態において、車両１００がより高速で走行している場合には、事故又は制御の喪失を引き起こすために比較的小さい振動が必要となる。
【００２７】
ブロック３１５において、電子制御装置１１５は、振動信号が検出閾値よりも大きいかどうかを判断する。振動信号が検出閾値よりも小さい場合には、電子プロセッサ１１５は、ステップ３０５に戻り、センサ１１０から新しい振動信号を受信するために待機する。振動信号が検出閾値よりも大きいと電子プロセッサ１１５が判断した場合には、車両１００においてセンサ１１０によって望ましくない量の振動が検出されている。いくつかの実施形態においては、検出閾値は、振動信号の振幅（例えば、０．４メートルの車両の振動）に関連している。他の実施形態においては、検出閾値は、振動信号の周波数（例えば、６Ｈｚを超える車両の振動）に関連している。
【００２８】
電子制御装置１１５によって望ましくない量の振動が検出された場合には、電子制御装置１１５は、ステップ３２０において、車両１００の制動システム１２０を動作させるための信号を生成するように構成されている。１つの実施形態においては、制動システム１２０は、動作させるための信号を、当該制動システムの電子プロセッサを介して電子制御装置１１５から受信し、１つ又は複数の制動コンポーネント（ブレーキパッド、ブレーキキャリパなど）を作用させて、車両１００の速度を、速度閾値以下になるように低減させる。いくつかの実施形態においては、制動システム１２０は、制動コンポーネントを直接的に作用させるように構成されている。他の実施形態においては、制動システム１２０は、当該制動システム１２０内の液圧を能動的に増加させることによって制動コンポーネントを動作させるように構成されている。
【００２９】
１つの実施形態においては、速度閾値は、所定の値（時速２０マイル（ＭＰＨ）など）であり得る。他の実施形態においては、電子プロセッサ１１５は、車両１００の振動信号及び現在の速度に基づいて速度閾値を規定するようにさらに構成され得る。例えば、車両が４５ＭＰＨで走行していて、かつ、電子プロセッサ１１５が０．６メートルの振幅を含む振動信号を受信した場合（であって、かつ、検出閾値が０．４メートルの振幅である場合）には、電子プロセッサ１１５は、車両１００の振動を低減させるために、車両１００が制動システム１２０によって２５ＭＰＨの速度まで制動されるべきであると判断することができる。次いで、電子プロセッサ１１５は、この値を制動システム１２０に送信することができ、１つの実施形態においては、制動システム１２０は、車両１００が２５ＭＰＨ以下で走行していることを制動システム１２０の速度センサが示すまで、１つ又は複数の制動コンポーネントを作用させる。
【００３０】
電子制御装置１１５によって望ましくない量の振動が検出された場合には、電子制御装置１１５は、ステップ３２５において、車両１００のエンジン１２７のトルクを低減させるためのリクエストを生成するように構成されている。振動信号が検出閾値を超えていると判断された場合には、電子制御装置１１５は、エンジン電子制御装置１２５に送信するためのリクエストを生成して、車両１００のエンジン１２７のトルクを低減させることを要求することができる。車両１００のエンジン１２７のトルクを低減させることは、エンジン１２７に作用する回転力がより小さくなり、エンジン１２７に動力を与えるために行われる仕事がより少なくなり、これによって、車両１００が走行し得る速度が低減されるということを意味する。エンジン電子制御装置１２５は、電子制御装置１１５からリクエストを受信し、車両１００のエンジン１２７のトルクを低減させるための信号を生成するように構成されている。
【００３１】
いくつかの実施形態においては、制動システム１２０を動作させるための信号と、車両１００のエンジン１２７のトルクを低減させるためのリクエストとを生成することに加えて、電子制御装置１１５は、ステップ３３０において、車両１００の操作者のために通知を生成するようにさらに構成されている。次いで、この通知は、ステップ３３５において通知インジケータ１３０に送信される。通知は、通知インジケータ１３０が使用することができる形式で送信される。例えば、通知インジケータ１３０は、車両１００のダッシュボード上のＬＥＤであり得る。電子制御装置１１５は、ＬＥＤを「オン」位置に切り変える（ＬＥＤを照明する）ための信号を生成することができ、この信号は、車両１００の操作者に対して、センサ１１０によって望ましくない振動が検出され（て、電子プロセッサ１１５によって望ましくない振動であると判断され）たことと、従って、電子プロセッサ１１５からの信号に応じて制動システム１２０が動作させられていることと、車両１００のエンジン１２７のトルクを低減させるためのリクエストが電子プロセッサ１１５によって生成され、エンジン電子プロセッサ１２５によって実行されていることと、を示す。他の実施形態においては、車両１００が望ましくない量の振動を経験していることを操作者に通知するために音声通知が生成され、車両１００の中又は上に配置されたスピーカを介して再生される。
【００３２】
望ましくない量の振動が検出されたときに車両１００の操作者に通知を行うことが有利であり、これによって、車両１００の操作者は、制動システム１２０を動作させて、車両１００のエンジン１２７のトルクを低減させることによって車両１００の速度を低減させるための準備ができる。操作者への通知が行われなかった場合には、操作者は、不意打ちを食らい、制動システム１２０が動作させられていることと、車両１００のエンジン１２７のトルクが低減されていることとに対して否定的に反応する可能性がある。例えば、操作者は、車両１００のステアリング機構を突然引っ張って、車両１００の制御を喪失する可能性がある。いくつかの実施形態においては、ステップ３２０において電子プロセッサ１１５が、制動システム１２０を動作させるための信号を生成する前に、又は、ステップ３２５において電子プロセッサ１１５が、車両１００のエンジン１２７のトルクを低減させるためのリクエストを生成する前に、又は、その両方の前に、ステップ３３５における通知の提供を実施してもよい。
【００３３】
いくつかの実施形態においては、２つ以上の検出閾値が存在する。例えば、第１の検出閾値が０．２メートルに設定され、第２の検出閾値が０．４メートルに設定され得る。電子制御装置１１５が、センサ１１０から０．３メートルの振幅を含む振動信号を受信した場合には、電子プロセッサ１１５は、第１の検出閾値を超えているが第２の検出閾値を超えていないと判断する。いくつかの実施形態においては、電子プロセッサ１１５は、センサ１１０によって振動が検出されたことを車両１００の操作者に提供するための通知のみを生成し、制動システム１２０を動作させるための信号、又は、車両１００のエンジン１２７のトルクを低減させるためのリクエストを生成しないようにしてもよい。
【００３４】
結果として、安定化システム１０５は、電子プロセッサ１１５を使用して、センサ１１０から振動信号を受信し、振動信号を検出閾値と比較し、振動信号と検出閾値との比較に応じて、車両１００の制動システム１２０を動作させるための信号を生成し、かつ、車両１００のエンジン１２７のトルクを低減させるためのリクエストを生成することによって、車両１００を安定化させる。
【００３５】
以下の特許請求の範囲には、種々の特徴、利点及び実施形態が記載されている。
【図１】
2020533220.tif 000003
【図２】
2020533220.tif 000004
【図３】
2020533220.tif 000005
【手続補正書】
【提出日】令和2年6月23日(2020.6.23)
【手続補正１】
【補正対象書類名】明細書
【補正対象項目名】０００７
【補正方法】変更
【補正の内容】
【０００７】
他の実施形態は、車両を安定化させるための方法を提供する。当該方法は、電子制御装置を使用して、センサから振動信号を受信することと、振動信号を検出閾値と比較することと、振動信号と検出閾値との比較に応じて、車両の制動システムを動作させるための信号を生成し、かつ、車両のエンジンのトルクを低減させるためのリクエストを生成することと、を含む。
【手続補正２】
【補正対象書類名】明細書
【補正対象項目名】００２６
【補正方法】変更
【補正の内容】
【００２６】
電子制御装置１１５は、振動信号を受信し（ステップ３０５）、ステップ３１０において、振動信号を検出閾値と比較する。いくつかの実施形態においては、検出閾値は、電子制御装置１１５が振動信号を比較するための対象である設定値に規定されている。他の実施形態においては、電子制御装置１１５は、車両１００の種類及び車両１００の速度などに基づいて検出閾値を規定するようにさらに構成され得る。例えば、１つの実施形態において、車両１００が低速で走行している場合には、事故又は制御の喪失を引き起こすために比較的大きな振動が必要となり得る一方、他の実施形態において、車両１００がより高速で走行している場合には、事故又は制御の喪失を引き起こすために比較的小さい振動が必要となる。
【手続補正３】
【補正対象書類名】明細書
【補正対象項目名】００２７
【補正方法】変更
【補正の内容】
【００２７】
ブロック３１５において、電子制御装置１１５は、振動信号が検出閾値よりも大きいかどうかを判断する。振動信号が検出閾値よりも小さい場合には、電子制御装置１１５は、ステップ３０５に戻り、センサ１１０から新しい振動信号を受信するために待機する。振動信号が検出閾値よりも大きいと電子制御装置１１５が判断した場合には、車両１００においてセンサ１１０によって望ましくない量の振動が検出されている。いくつかの実施形態においては、検出閾値は、振動信号の振幅（例えば、０．４メートルの車両の振動）に関連している。他の実施形態においては、検出閾値は、振動信号の周波数（例えば、６Ｈｚを超える車両の振動）に関連している。
【手続補正４】
【補正対象書類名】明細書
【補正対象項目名】００２９
【補正方法】変更
【補正の内容】
【００２９】
１つの実施形態においては、速度閾値は、所定の値（時速２０マイル（ＭＰＨ）など）であり得る。他の実施形態においては、電子制御装置１１５は、車両１００の振動信号及び現在の速度に基づいて速度閾値を規定するようにさらに構成され得る。例えば、車両が４５ＭＰＨで走行していて、かつ、電子制御装置１１５が０．６メートルの振幅を含む振動信号を受信した場合（であって、かつ、検出閾値が０．４メートルの振幅である場合）には、電子制御装置１１５は、車両１００の振動を低減させるために、車両１００が制動システム１２０によって２５ＭＰＨの速度まで制動されるべきであると判断することができる。次いで、電子制御装置１１５は、この値を制動システム１２０に送信することができ、１つの実施形態においては、制動システム１２０は、車両１００が２５ＭＰＨ以下で走行していることを制動システム１２０の速度センサが示すまで、１つ又は複数の制動コンポーネントを作用させる。
【手続補正５】
【補正対象書類名】明細書
【補正対象項目名】００３１
【補正方法】変更
【補正の内容】
【００３１】
いくつかの実施形態においては、制動システム１２０を動作させるための信号と、車両１００のエンジン１２７のトルクを低減させるためのリクエストとを生成することに加えて、電子制御装置１１５は、ステップ３３０において、車両１００の操作者のために通知を生成するようにさらに構成されている。次いで、この通知は、ステップ３３５において通知インジケータ１３０に送信される。通知は、通知インジケータ１３０が使用することができる形式で送信される。例えば、通知インジケータ１３０は、車両１００のダッシュボード上のＬＥＤであり得る。電子制御装置１１５は、ＬＥＤを「オン」位置に切り変える（ＬＥＤを照明する）ための信号を生成することができ、この信号は、車両１００の操作者に対して、センサ１１０によって望ましくない振動が検出され（て、電子制御装置１１５によって望ましくない振動であると判断され）たことと、従って、電子制御装置１１５からの信号に応じて制動システム１２０が動作させられていることと、車両１００のエンジン１２７のトルクを低減させるためのリクエストが電子制御装置１１５によって生成され、エンジン電子制御装置１２５によって実行されていることと、を示す。他の実施形態においては、車両１００が望ましくない量の振動を経験していることを操作者に通知するために音声通知が生成され、車両１００の中又は上に配置されたスピーカを介して再生される。
【手続補正６】
【補正対象書類名】明細書
【補正対象項目名】００３２
【補正方法】変更
【補正の内容】
【００３２】
望ましくない量の振動が検出されたときに車両１００の操作者に通知を行うことが有利であり、これによって、車両１００の操作者は、制動システム１２０を動作させて、車両１００のエンジン１２７のトルクを低減させることによって車両１００の速度を低減させるための準備ができる。操作者への通知が行われなかった場合には、操作者は、不意打ちを食らい、制動システム１２０が動作させられていることと、車両１００のエンジン１２７のトルクが低減されていることとに対して否定的に反応する可能性がある。例えば、操作者は、車両１００のステアリング機構を突然引っ張って、車両１００の制御を喪失する可能性がある。いくつかの実施形態においては、ステップ３２０において電子制御装置１１５が、制動システム１２０を動作させるための信号を生成する前に、又は、ステップ３２５において電子制御装置１１５が、車両１００のエンジン１２７のトルクを低減させるためのリクエストを生成する前に、又は、その両方の前に、ステップ３３５における通知の提供を実施してもよい。
【手続補正７】
【補正対象書類名】明細書
【補正対象項目名】００３３
【補正方法】変更
【補正の内容】
【００３３】
いくつかの実施形態においては、２つ以上の検出閾値が存在する。例えば、第１の検出閾値が０．２メートルに設定され、第２の検出閾値が０．４メートルに設定され得る。電子制御装置１１５が、センサ１１０から０．３メートルの振幅を含む振動信号を受信した場合には、電子制御装置１１５は、第１の検出閾値を超えているが第２の検出閾値を超えていないと判断する。いくつかの実施形態においては、電子制御装置１１５は、センサ１１０によって振動が検出されたことを車両１００の操作者に提供するための通知のみを生成し、制動システム１２０を動作させるための信号、又は、車両１００のエンジン１２７のトルクを低減させるためのリクエストを生成しないようにしてもよい。
【手続補正８】
【補正対象書類名】明細書
【補正対象項目名】００３４
【補正方法】変更
【補正の内容】
【００３４】
結果として、安定化システム１０５は、電子制御装置１１５を使用して、センサ１１０から振動信号を受信し、振動信号を検出閾値と比較し、振動信号と検出閾値との比較に応じて、車両１００の制動システム１２０を動作させるための信号を生成し、かつ、車両１００のエンジン１２７のトルクを低減させるためのリクエストを生成することによって、車両１００を安定化させる。
【国際調査報告】
2020533220.tif 000006
2020533220.tif 000007
2020533220.tif 000008